(57)【要約】通信受信機（400）は、信号等化のための組合わせの局所および大域の平均平方誤差を最小化する。基地局（101）または移動局（102ないし104）は、複数のアンテナ（292）を含み、アンテナ（292）は、共通の源から伝送された複数の信号を受信する。複数の信号は、データシンボルの共通のストリームを搬送する。前処理ブロック（299）は、受信信号を処理して、複数の処理された受信信号（298）を生成する。信号等化器（401）は、処理された受信信号（298）における組合わせの局所および大域ＭＳＥを最小化して、組合わせ信号（499）を生成する。復号器は、組合わせ信号（499）を復号して、データシンボルのストリームを検索する。プロセッサは、調節可能な重み係数にしたがって局所ＭＳＥと大域ＭＳＥとを組合せて、組合わせの局所および大域ＭＳＥを生成するように構成されている。【選択図】図３
2005502263.tif 000002
【特許請求の範囲】
【請求項１】
通信システムにおいて、
データシンボルの共通のストリームを搬送する複数の信号を、共通の源から受信することと、
前記受信信号において、組合わせの局所および大域の平均平方誤差（mean square error, MSE）を最小化することとを含む方法。
【請求項２】
重み係数にしたがって局所ＭＳＥと大域ＭＳＥとを組合せて、前記組合わせの局所および大域ＭＳＥを生成することをさらに含む請求項１記載の方法。
【請求項３】
前記重み係数が、ゼロと１との間の値を有する請求項２記載の方法。
【請求項４】
前記重み係数に基づいて、前記組合わせの大域および局所ＭＳＥに対する時間および空間係数を判断することをさらに含む請求項２記載の方法。
【請求項５】
組合わせの局所および大域ＭＳＥの前記最小化のために、時間係数のステップサイズにしたがって前記時間係数を調節することをさらに含む請求項４記載の方法。
【請求項６】
組合わせの局所および大域ＭＳＥの前記最小化のために、前記時間係数のステップサイズを調節することをさらに含む請求項５記載の方法。
【請求項７】
組合わせの局所および大域ＭＳＥの前記最小化のために、空間係数のステップサイズにしたがって前記空間係数を調節することをさらに含む請求項４記載の方法。
【請求項８】
前記組合わせの局所および大域ＭＳＥの前記最小化のために、前記空間係数のステップサイズを調節することをさらに含む請求項７記載の方法。
【請求項９】
前記組合わせの局所および大域ＭＳＥの前記最小化において、前記重み係数を調節して、処理速度および誤差の大きさの少なくとも一方の対応する効果を実現することをさらに含む請求項２記載の方法。
【請求項１０】
前記受信信号において、前記組合わせの局所および大域ＭＳＥの前記最小化の後で、組合わせ信号を生成することをさらに含む請求項１記載の方法。
【請求項１１】
前記組合わせ信号を復号して、データシンボルの前記共通のストリームを検索することをさらに含む請求項１０記載の方法。
【請求項１２】
前記組合わせの局所および大域ＭＳＥが、αを重み係数として、
【数１】
2005502263.tif 000010
にしたがう請求項１記載の方法。
【請求項１３】
通信システムにおいて、
データシンボルの共通のストリームを搬送する複数の信号を、共通の源から受信するための受信機と、
前記受信信号において、組合わせの局所および大域の平均平方誤差（ＭＳＥ）を最小化するための等化器とを含む装置。
【請求項１４】
重み係数にしたがって局所ＭＳＥと大域ＭＳＥとを組合せて、前記組合わせの局所および大域ＭＳＥの最小化を生成するためのプロセッサをさらに含む請求項１３記載の装置。
【請求項１５】
前記重み係数が、ゼロと１との間の値を有する請求項１４記載の装置。
【請求項１６】
前記プロセッサが、前記重み係数に基づいて、前記組合わせの大域および局所ＭＳＥに対する時間および空間の係数を判断するように構成されている請求項１４記載の装置。
【請求項１７】
前記プロセッサが、前記組合わせの局所および大域ＭＳＥの前記最小化のために、時間係数のステップサイズにしたがって、前記時間係数を調節するように構成されている請求項１６記載の装置。
【請求項１８】
前記プロセッサが、前記組合わせの局所および大域ＭＳＥの前記最小化のために、前記時間係数のステップサイズを調節するように構成されている請求項１７記載の装置。
【請求項１９】
前記プロセッサが、前記組合わせの局所および大域ＭＳＥの前記最小化のために、空間係数のステップサイズにしたがって、前記空間係数を調節するように構成されている請求項１６記載の装置。
【請求項２０】
前記プロセッサが、前記組合わせの局所および大域ＭＳＥの前記最小化のために、前記空間係数のステップサイズを調節するように構成されている請求項１９記載の装置。
【請求項２１】
前記プロセッサが、前記組合わせの局所および大域ＭＳＥの前記最小化において、前記重み係数を調節して、処理速度と誤差の大きさとの少なくとも一方の対応する効果を実現するように構成されている請求項１４記載の装置。
【請求項２２】
前記等化器が、前記受信信号における前記組合わせの局所および大域ＭＳＥの前記最小化の後で、組合わせ信号を生成するように構成されている請求項１４記載の装置。
【請求項２３】
前記組合わせ信号を復号して、データシンボルの前記共通のストリームを検索するための復号器をさらに含む請求項２２記載の装置。
【請求項２４】
前記複数の信号を対応して受信するための前記受信機に接続されている複数のアンテナをさらに含む請求項１３記載の装置。
【請求項２５】
通信システムにおいて、
データシンボルの共通のストリームを搬送する複数の信号を、共通の源から受信するための手段と、
前記受信信号において、組合わせの局所および大域の平均平方誤差（ＭＳＥ）を最小化するための信号等化器手段とを含む装置。
【請求項２６】
重み係数にしたがって局所ＭＳＥと大域ＭＳＥとを組合せて、前記組合わせの局所および大域ＭＳＥの最小化を生成するためのプロセッサ手段をさらに含む請求項２５記載の装置。
【発明の詳細な説明】
【技術分野】
【０００１】
本発明は、概ね、通信の分野、とくに、分散チャンネル上での多数の受信アンテナを使用した通信の分野に関する。
【背景技術】
【０００２】
送信機と受信機との間の通信チャンネルは、時間にしたがって変化し、かつ分散している。チャンネルの分散により、マルチパスおよび符号間干渉（inter-symbol interference, ISI）が生じ、受信機には、これらと、おそらくはこれら以外の、時間にしたがって変化する影響とを打ち消すための特定の処理が必要である。このような受信機には、マルチパス干渉およびＩＳＩの影響を低減するための等化器を含むことができる。
【発明の開示】
【発明が解決しようとする課題】
【０００３】
この目的および他の目的のために、通信システムにおける効果的な等化器が必要とされている。
【課題を解決するための手段】
【０００４】
通信受信機は、組合わせの局所および大域の平均平方誤差（mean square error, MSE）を最小化することによって、信号等化を行なう。受信機は、複数のアンテナを含み、アンテナは、共通の源から伝送された複数の信号を受信する。複数の信号は、データシンボルの共通のストリームを搬送する。前処理ブロックでは、受信信号を処理して、複数の処理された受信信号を生成する。局所の最適化では、単に、伝送シンボルと、伝送シンボルの局所的な推定値とのＭＳＥを最小化することに基づいて、異なるアンテナからの信号の時間係数を最適化する。大域の最適化では、全アンテナからの信号に対する時間係数と空間結合器の重みとを一緒に最適化して、大域のＭＳＥを最小化する。信号等化器は、処理された受信信号における、組合わせの局所および大域のＭＳＥを最小化して、組合わせ信号を生成する。復号器は、組合わせ信号を復号して、データシンボルのストリームを検索する。プロセッサは、重み係数αにしたがって局所ＭＳＥと大域ＭＳＥとを組合せて、組合わせの局所および大域のＭＳＥを生成するように構成されている。プロセッサは、重み係数αを調節して、組合わせの局所および大域のＭＳＥを最小化するときの、適応速度および誤差の大きさの対応する効果を実現するように構成される。
【０００５】
本発明の特徴、目的、および長所は、別途記載される詳細な記述から、図面と共に参照するとき、同じ参照符号により全体的に対応して識別され、より明らかになるであろう。
【発明を実施するための最良の形態】
【０００６】
本発明の種々の態様は、符号分割多重アクセス（code division multiple access, CDMA）技術にしたがう無線通信のためのシステムに採用される。種々のＣＤＭＡ通信技術は、米国電気通信工業会（Telecommunication Industry Association, TIA）によって発行された種々の標準規格において開示され、記述されている。このような標準規格には、TIA/EIA-95の標準規格、TIA/EIA-IS-2000の標準規格、IMT-2000の標準規格、およびWCDMAの標準規格が含まれ、ここでは、全てを参考文献として取入れている。さらに加えて、“TIA/EIA/IS-856 cdma2000 High Rate Packet Data Air Interface Specification”として規定されている仕様（本明細書において、参考文献として取入れている）も、本発明の１つ以上の態様を取入れているシステムを提供している。標準規格のコピーは、アドレスがhttp://www.cdg.orgであるワールドワイドウエブにアクセスすることによって、またはTIAのStandards and Technology Department（2500 Wilson Boulevard, Arlington, VA 22201, United States of America）へ書込むことによって得られる。WCDMAの標準規格として一般に識別されている仕様は、3GPP Support Office(650 Route des Lucioles-Sophia Antipolis, Valbonne-France)に問い合わせることによって得られる。
【０００７】
本発明は、概ね、通信システムにおける信号等化のための新規で、向上した方法および装置に関する。本明細書に記載されている１つ以上の例示的な実施形態は、無線データ通信システムに関連して開示されている。この関連の中での使用が効果的であるが、本発明の異なる実施形態を異なる環境または構成に取入れてもよい。一般に、本明細書に記載されている種々のシステムは、ソフトウエア制御のプロセッサ、集積回路、またはディスクリートな論理を使用して形成される。応用全体で参照されるデータ、命令、コマンド、情報、信号、シンボル、およびチップは、電圧、電流、電磁波、磁界または磁粒、光の界または粒子、あるいはこれらの組合わせによって表現されることが好都合である。さらに加えて、各ブロック図に示されているブロックは、ハードウエアまたは方法のステップを表現することもある。
【０００８】
図１は、符号分割多重アクセス（code division multiple access, CDMA）通信システムの標準規格にしたがって動作することができる通信システム100の全体的なブロック図を示している。一般に、通信システム100は、基地局（base station, BS）101を含み、ＢＳ101は、移動局（mobile station, MS）102ないし104のような多数の移動局間、および移動局102ないし104とワイヤーラインネットワーク105との間に通信リンクを与えている。基地局101は、移動局制御装置、基地局制御装置、および無線周波数トランシーバのような多数の構成要素を含む。簡潔にするために、このような構成要素は示されていない。基地局101は、他の基地局（図示されていない）とも通信する。基地局101は、各移動局102ないし104と順方向リンクを介して通信する。順方向リンクは、基地局101から伝送される順方向リンク信号によって保たれる。いくつかの移動局102ないし104を目標にしている順方向リンク信号を加算して、順方向リンク信号106を形成する。順方向リンク信号106を受信した移動局102ないし104の各々は、順方向リンク信号106を復号して、そのユーザを目標にしている情報を抽出する。受信端では、受信者は、他の受信者を目標にしている受信順方向リンク信号106の一部分を干渉として取扱う。
【０００９】
移動局102ないし104は、対応する逆方向リンクを介して基地局101と通信する。各逆方向リンクは、逆方向リンク信号、すなわち各移動局102ないし104の逆方向リンク信号107ないし109によって保たれる。基地局101は、所定の一連のデータビットをパイロットチャンネル上で順方向リンクを介して全移動局へ伝送し、各移動局が順方向リンク信号106を復号するのを助ける。移動局102ないし104の各々は、基地局101へパイロットチャンネルを伝送する。移動局から伝送されるパイロットチャンネルは、同じ移動局から伝送される逆方向リンク信号によって搬送される情報を復号するのに使用される。パイロットチャンネルの使用および動作については、よく知られている。順方向リンクおよび逆方向リンクを介して通信するための送信機および受信機は、各移動局102ないし103および基地局101に含まれる。
【００１０】
図２には、受信機400のブロック図が示されている。受信機400は、伝送信号の波形を受信するための何本かアンテナ（antenna, ANT）292-1ないし292-Kを有する。アンテナ292-1ないし292-Kにおいて受信された信号は、対応する前処理ブロック299-1および299-Kにおいて処理されて、対応する信号298-1および298-Kが生成される。前処理ブロック299-1および299-Kは、RF/IFダウンコンバータ、自動利得制御（automatic gain control, AGC）補償、アナログ対ディジタル（analog-to-digital, A/D）変換のようないくつかの処理（図示されていない）を含む。信号298-1ないし298-Kは、等化器401を通って、信号499を復号器へ送る。アンテナ292-1ないし292-Kにおいて受信された信号は、共通の源から発信され、データシンボルｙ[ｎ]の同じストリームを搬送する。なお、“ｎ”は、受信データストリーム内のシンボルの時間指標を表現している。
【００１１】
通信システム100では、データシンボルｙ[ｎ]のストリームは、移動局102ないし104から通信チャンネルを通って基地局101内の受信機400へ伝送されるか、または基地局101から移動局102ないし104の何れかへ伝送される。受信機400は、分散チャンネル上で移動局から信号を受信するために基地局101に取入れられるか、または分散チャンネル上で基地局101から信号を受信するために移動局102ないし104に取入れられる。等化器401は、多数の有限インパルス応答（finite impulse response, FIR）フィルター470-1ないし470-Kを含んでいる。図２には、いくつかのフィルター470-1ないし470-Kが示されているが、異なる実施形態において、フィルターの構成は異なっていてもよい。１つの場合では、１つのフィルターを繰返し使用して、全ての信号298-1ないし298-Kを処理する。別の場合では、１つのフィルターを、アンテナ292-1ないし292-Kからの信号298-1ないし298-Kの各々に専用にする。ｍ番目のアンテナからの経路の等化器は、時間係数Ｃｍ[ｎ]を有するタップ遅延ラインＦＩＲフィルターであってもよい。ＦＩＲフィルターの使用および動作は、この技術においてよく知られている。
【００１２】
フィルター470-1ないし470-Kの各々の出力は、データストリームｙ[ｎ]における伝送データシンボルの推定値を表現している。フィルター470-1は、アンテナ292-1の信号を介して受信し、時間ｎのフィルター470-1の出力は、次の式で表現することができる。
【００１３】
【数２】
2005502263.tif 000003
なお、ＦＩＲフィルター470-1は、{Ｃ１ｋ[ｎ]：ｋ＝−Ｍ，…，Ｍ}によって求められる２Ｍ＋１のタップを有し、＊は複素共役を示し、｛Ｘ１[ｎ，ｋ]：ｋ＝−Ｍ，…，Ｍ｝は、時間ｎにおけるタップされた遅延線の内容を示している。フィルター470-1ないし470-Kの出力は、乗算器480-1ないし480-Kによって基準化され、その各々は、関係付けられた空間係数Ｓｍ[ｎ]を有する。
【００１４】
【数３】
2005502263.tif 000004
信号499における受信機ノイズ、マルチパス干渉、および符号間干渉の影響を最小化するために、１つの実施形態にしたがって、各ｍに対して、時間係数Ｃｍ[ｎ]＝{Ｃｍｋ［ｎ］：ｋ＝−Ｍ，…，Ｍ}および空間係数Ｓｍ［ｎ］を最適化することができる。その後で、信号499は、伝送データシンボルの推定値を保持し、伝送データシンボルは、向上した信頼性で復号される。ｍ＝１，…，Ｋにおいて、時間係数Ｃｍ[ｎ]および空間結合器の重みＳｍ[ｎ]は、いくつかの可能なやり方で、最小平均平方誤差（Minimum Mean Square Error, MMSE）基準を使用して最適化される。
【００１５】
【数４】
2005502263.tif 000005
例示的な実施形態では、空間結合器の重みＳｍ[ｎ]は１に等しく設定される。
この技術において、よく知られている適応信号処理アルゴリズム、例えば、最小二乗平均（Least Mean Square, LMS）アルゴリズムおよびその変数を使用して、これらの各最適化を実行してもよい。このような適応アルゴリズムを使用して、時間係数Ｃｍ[ｎ]および空間係数Ｓｍ[ｎ]を最適化するとき、係数が定常（すなわち、最適のＭＭＳＥ）値へ収束するのに必要なサンプル数（すなわち、訓練時間量）は、局所最適化よりも大域最適化の方が大きい。しかしながら、定常のＭＳＥは、一般に、大域最適化の方が小さい。組合わせ大域―局所最適化（Combined Global-Local Optimization）と呼ばれるこの実施形態は、これらのアプローチの両者を向上して、低い定常ＭＳＥと高速の収束時間との平衡を実現する。
【００１６】
ゼロと１との間のαの値に対して組合わせのＭＳＥを、式（５）のように定める。
【００１７】
【数５】
2005502263.tif 000006
αがゼロに等しく設定されるとき、大域最適化に対して組合わせのＭＳＥ量を最小化し、一方で、αがゼロに設定されるとき、局所最適化に対して組合わせのＭＳＥ量を最小化する。この実施形態において、αの値は、０と１との間の任意の数である（０≦α≦１）。組合わせの最適化において、パラメータαは、局所および大域のＭＳＥの相対的な重みを指定する。αを適切に選択すると、適応アルゴリズムにより、高速の収束時間と低い定常のＭＳＥとのよりよい組合わせを実現することができる。
【００１８】
１つの実施形態にしたがうと、αの特定の値を選択すると、反復的なやり方で、ステップサイズのパラメータΔｃおよびΔＳを選択して、時間係数Ｃｍ[ｎ]および空間係数Ｓｍ[ｎ]を更新することができる。例えば、第１のアンテナブランチと関係付けられている時間係数および空間係数、すなわちＣ１[ｎ]およびＳ１[ｎ]は、次のように更新することができる。固定の組の空間係数Ｓ１[ｎ]に対して、Ｃ１[ｎ]は、式（６）によって更新される。
【００１９】
【数６】
2005502263.tif 000007
ｋは、470-1のＦＩＲフィルターにおける係数を示し、Δｃは、時間係数のステップサイズのパラメータを示し、Ｃ１[ｎ＋１]は、時間ｎ＋１における更新された時間係数を示す。次に、固定の組の時間係数Ｃ１[ｎ]に対して、Ｓ１[ｎ]は、式（７）によって更新される。
【００２０】
【数７】
2005502263.tif 000008
ΔＳは、空間係数のステップサイズのパラメータであり、Ｓ１[ｎ]は、時間ｎ＋１における更新された空間係数を示す。他のアンテナブランチにおける時間係数Ｃｍ[ｎ]と空間係数Ｓ１[ｎ]は、同様に更新される。ステップサイズのパラメータΔＣおよびΔＳは、反復的な更新の収束を保証する値になる。これらの要件を満たすステップサイズのパラメータを選択するための方法は、この技術においてよく知られている。さらに加えて、この技術においてよく知られている方法の後に、これらのネストされた反復は、CombinedMSEを実現する解へ収束する。
【００２１】
図３は、時間係数Ｃｍ[ｎ]と空間係数Ｓｍ[ｎ]との組合わせの最適化を実行するのに必要な１つ以上のステップを表わしたフローチャート600を示している。フローチャート600の種々のステップは、制御システムによって実行される。ステップ601では、時間係数Ｃｍ[ｎ]と空間係数Ｓｍ[ｎ]とを初期設定して、パラメータα、ΔＣ、およびΔＳの初期値を選択する。
【００２２】
【数８】
2005502263.tif 000009
ステップ604では、組合された推定値を復号器へ送り、ステップ605において、評価して、時間係数と空間係数をさらに更新する必要があるかどうかを判断する。追加の更新は、ＭＳＥの誤差が許容可能に低いレベルであるときは必要ない。ステップ606において、係数器が次のデータシンボルに対してインクリメントされると、プロセスはステップ602へ進む。ステップ607および608では、時間係数Ｃｍ[ｎ]および空間係数Ｓｍ[ｎ]の値を、パラメータα、ΔＣ、ΔＳにしたがって更新する。ステップ609では、希望であれば、パラメータα、ΔＣ、およびΔＳを、ステップ601において設定された初期値から調節する。例えば、α２を調節することによって、局所最適化と大域最適化との妥協点を制御することができる。αの値がゼロに近付くときは、更新は、局所最適化の値よりも、大域最適化の値において効果的である。同様に、αの値が１に近付くときは、更新は、大域最適化よりも、局所最適化において効果的である。したがって、ＭＳＥの誤差の大きさが大きくなると、収束が速まり、また収束が速まると、ＭＳＥの誤差の大きさが大きくなるといったトレードオフの可能性を与える。ステップサイズのパラメータΔＣおよびΔＳの値を低減すると、反復の収束がより緩慢になるといった犠牲を払うが、定常のＭＳＥがより小さくなる。ステップサイズのパラメータΔＣおよびΔＳの値を大きくすると、反復の収束が速まるが、定常のＭＳＥが大きくなるといった結果になる。ステップ610では、係数器は、次のパイロットシンボルに対してインクリメントされる。ステップ611では、プロセスは、訓練間隔内の最後のデータシンボルが処理されたかどうかを判断する。同じデータストリームをさらに処理することが望ましいときは、ステップ602へ進む。
【００２３】
当業者には、本明細書において開示されている実施形態に関係して記載されている種々の例示的な論理ブロック、モジュール、回路、およびアルゴリズムのステップは、電子ハードウエア、コンピュータソフトウエア、またはこの両者の組合せとして構成されることが分かるであろう。ハードウエアおよびソフトウエアにおけるこの互換性を明らかに示すために、種々の例示的な構成要素、ブロック、モジュール、回路、およびステップが、上述で全体的に機能に関して記載されている。このような機能が、ハードウエアとして構成されているか、またはソフトウエアとして構成されているかは、全体的なシステムに課された特定の応用および設計の制約に依存する。熟練した技能をもつ者は、記述されている機能を種々のやり方で各特定の応用に実行するが、このような実行の決定は、本発明の技術的範囲から逸脱しないと解釈すべきである。
【００２４】
本明細書に開示されている実施形態と関係して記載されている種々の例示的な論理ブロック、モジュール、および回路は、汎用プロセッサ、ディジタル信号プロセッサ（digital signal processor, DSP）、特定用途向け集積回路（application specific integrated circuit, ASIC）、フィールドプログラマブルゲートアレイ（field programmable gate array, FPGA）または他のプログラマブル論理装置、ディスクリートなゲートまたはトランジスタ論理、ディスクリートなハードウエア構成要素、あるいは本明細書に記載されている機能を実行するように設計されているものの組合わせで構成または実行される。汎用プロセッサは、マイクロプロセッサであってもよいが、その代わりに、従来のプロセッサ、制御装置、マイクロ制御装置、または状態機械であってもよい。プロセッサは、計算機の組合せ、例えば１台のＤＳＰと１台のマイクロプロセッサ、複数のマイクロプロセッサ、１台以上のマイクロプロセッサと１台のＤＳＰのコア、または他のこのような構成としても構成される。
【００２５】
本明細書に記載されている実施形態と関係して開示されている方法またはアルゴリズムのステップは、ハードウエア、プロセッサによって実行されるソフトウエアモジュール、または組合せにおいて直接に具現される。ソフトウエアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、またはこの技術において知られている他の形態の記憶媒体内にあってもよい。例示的な記憶媒体はプロセッサに接続され、したがって、プロセッサは、記憶媒体から情報を読み出し、記憶媒体へ情報を書込むことができる。その代りに、記憶媒体はプロセッサと一体構成であってもよい。プロセッサおよび記憶媒体は、ＡＳＩＣ内にあってもよい。ＡＳＩＣは、ユーザ端末内にあってもよい。その代りに、プロセッサおよび記憶媒体は、ディスクリートな構成要素として、ユーザ端末内にあってもよい。
【００２６】
好ましい実施形態についてのこれまでの記載は、この技術に熟練した者が、本発明を作成または使用できるようにするために与えられている。当業者には、これらの実施形態に対する種々の変更が容易に分かり、かつ本明細書で定義されている全体的な原理は、発明の能力を使用することなく、他の実施形態に適用してもよい。したがって、本発明は、本明細書に示されている実施形態に制限されるのではなく、本明細書に開示されている原理および新規な特徴に一致する最も幅広い範囲にしたがうことを意図されている。
【図面の簡単な説明】
【００２７】
【図１】本発明の種々の実施形態にしたがって動作することができる通信システムを示す図。
【図２】信号等化のための組合わせの局所および大域の平均平方誤差を最小化するための通信システム受信機の受信機ブロック図。
【図３】信号等化のための組合わせの局所および大域の平均平方誤差を最小化するためのフローチャート。
【符号の説明】
【００２８】
100・・・通信システム、106・・・順方向リンク、107、108、109・・・逆方向リンク、292・・・アンテナ、298、499・・・信号、299・・・前処理ブロック、401・・・等化器、470・・・フィルター、480・・・乗算器、490・・・結合器、600・・・フローチャート。
【図１】
2005502263.tif 000011
【図２】
2005502263.tif 000012
【図３】
2005502263.tif 000013
【国際公開パンフレット】
2005502263.tif 000014
2005502263.tif 000015
2005502263.tif 000016
2005502263.tif 000017
2005502263.tif 000018
2005502263.tif 000019
2005502263.tif 000020
2005502263.tif 000021
2005502263.tif 000022
2005502263.tif 000023
2005502263.tif 000024
2005502263.tif 000025
2005502263.tif 000026
2005502263.tif 000027
2005502263.tif 000028
2005502263.tif 000029
2005502263.tif 000030
2005502263.tif 000031
2005502263.tif 000032
2005502263.tif 000033
2005502263.tif 000034
2005502263.tif 000035
2005502263.tif 000036
【国際調査報告】
2005502263.tif 000037
2005502263.tif 000038
2005502263.tif 000039